(57)【要約】【課題】ビス止めや釘打ち作業を最小限にして、簡易に取付作業を行うことのできるサッシ取付構造を提供する。【解決手段】建物開口部Ａの躯体３に上下枠及び縦枠を枠組みしてなる枠体１を取付けてなるサッシ取付構造において、枠体１は屋外側に躯体３の屋外側面の四周に当接する屋外当接部５０を形成されると共に、上下枠及び縦枠の屋内側面にスライド自在に当接するスライド部１１と、該スライド部１１を枠体１の外側に向かってスライドさせた状態で躯体３の屋内側面に当接する屋内当接部１２を有する取付金具１０を備え、屋外当接部５０と屋内当接部１２により躯体３を挟持してなる。【選択図】  図１
2004150195.tif 000002
【特許請求の範囲】
【請求項１】
建物開口部の躯体に上下枠及び縦枠を枠組みしてなる枠体を取付けてなるサッシ取付構造において、
上記枠体は屋外側に上記躯体の屋外側面の四周に当接する屋外当接部を形成されると共に、上記上下枠及び縦枠の屋内側面にスライド自在に当接するスライド部と、該スライド部を上記枠体の外側に向かってスライドさせた状態で上記躯体の屋内側面に当接する屋内当接部を有する取付金具を備え、上記屋外当接部と屋内当接部により上記躯体を挟持してなることを特徴とするサッシ取付構造。
【請求項２】
上記取付金具のスライド部は細長状に形成されるスライド孔を有し、上記取付金具は上記スライド孔を介して上記枠体に固定されることを特徴とする請求項１記載のサッシ取付構造。
【請求項３】
上記枠体の屋内側面には上記取付金具より見付方向内側に額縁嵌合部を設け、該額縁嵌合部には上下屋内材及び縦屋内材からなる額縁を保持した額縁保持部を嵌合固定すると共に、該額縁保持部は上記取付金具に当接する当接部を有することを特徴とする請求項１または２記載のサッシ取付構造。
【請求項４】
上記枠体の屋外当接部は内部を中空構造に形成されていることを特徴とする請求項１〜３記載のサッシ取付構造。
【発明の詳細な説明】
【０００１】
【発明の属する技術分野】
本発明は、建物開口部の躯体に枠体を取付けてなるサッシ取付構造であって、特に枠体に形成された屋外及び屋内の当接部により躯体を挟持するサッシ取付構造に関する。
【０００２】
【従来の技術】
建物開口部に設けられるサッシは、建物の躯体に固定される枠体と、その枠体の中に納められる障子とからなっている。枠体は、上枠と下枠及び左右の縦枠からなり、これらを枠組みして形成される。
従来、サッシを開口部に取付ける際には、枠体の屋外側に設けられるフィンを建物の躯体に当接させ、屋外側から躯体に対して釘打ちをし、また屋内側にもフィンを設けて躯体に当接させ、躯体に対してビス止めすると共に、枠体の屋内外中間位置においても躯体に対してビス止めし、固定していた。これらの固定は、枠体を構成する上下枠及び縦枠のそれぞれについて、長手方向に複数個所なされている。
【０００３】
一方、例えば特開２００１−１８２４３６のように、ビス止めや釘打ちによらず、建物の躯体を挟持してサッシを固定する構造がある。この場合には、枠体の屋外側に面付け部を設けると共に、屋内側に引寄せ手段を設けて、これらによって建物の躯体を挟持し、枠体を固定する。
【０００４】
【発明が解決しようとする課題】
しかし、従来のサッシ取付構造においては、以下のような問題点を有していた。
サッシの取付けのために、釘打ちやビス止めを行う場合には、枠体の四周に渡って複数個所行わなければならず、このため工数が多くなって取付作業は繁雑になる。
【０００５】
また、従来の建物の躯体を挟持してサッシを固定する場合には、釘打ちやビス止めの作業はほとんど必要ないものの、躯体を挟持する部分をいずれもサッシに固定した状態では、サッシを建物開口部に取付けることはできず、どちらか一方は取付作業の途中で組立てる必要がある。例えば、サッシを建物開口部の屋外側から取付ける場合には、屋内側の引寄せ手段が枠体から突出するために、屋内側の引寄せ手段を枠体に固定したまま取付作業を行うことはできない。したがって、この場合においても取付作業は煩雑になり、取付を簡易に行うことはできなかった。
【０００６】
本発明は、上記問題点を解決すべくなされたものであり、ビス止めや釘打ち作業を最小限にして、簡易に取付作業を行うことのできるサッシ取付構造を提供することを目的とする。
【０００７】
【課題を解決するための手段】
上記課題を解決するために、本発明に係るサッシ取付構造は、建物開口部の躯体に上下枠及び縦枠を枠組みしてなる枠体を取付けてなるサッシ取付構造において、
上記枠体は屋外側に上記躯体の屋外側面の四周に当接する屋外当接部を形成されると共に、上記上下枠及び縦枠の屋内側面にスライド自在に当接するスライド部と、該スライド部を上記枠体の外側に向かってスライドさせた状態で上記躯体の屋内側面に当接する屋内当接部を有する取付金具を備え、上記屋外当接部と屋内当接部により上記躯体を挟持してなることを特徴として構成されている。
【０００８】
また、本発明に係るサッシ取付構造は、上記取付金具のスライド部は細長状に形成されるスライド孔を有し、上記取付金具は上記スライド孔を介して上記枠体に固定されることを特徴として構成されている。
【０００９】
さらに、本発明に係るサッシ取付構造は、上記枠体の屋内側面には上記取付金具より見付方向内側に額縁嵌合部を設け、該額縁嵌合部には上下屋内材及び縦屋内材からなる額縁を保持した額縁保持部を嵌合固定すると共に、該額縁保持部は上記取付金具に当接する当接部を有することを特徴として構成されている。
【００１０】
さらにまた、本発明に係るサッシ取付構造は、上記枠体の屋外当接部は内部を中空構造に形成されていることを特徴として構成されている。
【００１１】
【発明の実施の形態】
本発明の実施形態について、図に基づいて詳細に説明する。図１は、本発明の実施形態におけるサッシの縦断面図である。また、図２は、本発明の実施形態におけるサッシの横断面図である。
【００１２】
これら各図において、本発明におけるサッシは、建物開口部Ａに装着された上枠２０、下枠３０、及び縦枠４０、４０からなる枠体１内に、上框２５、下框３５、及び縦框４５、４５を枠組みしてガラス体６２を納めた一対の障子２、２を引違い状に走行自在に納めてなるものである。
【００１３】
枠体１を構成する各枠材は、複合型の枠材であり、ベースとなる金属枠６とその屋内側露出部分を覆う樹脂枠７とから構成されている。金属枠６は、金属上枠２１、金属下枠３１、金属縦枠４１、４１を方形に枠組みして構成され、樹脂枠７は、樹脂上枠２２、樹脂下枠３２、樹脂縦枠４２、４２を方形に枠組みして構成されている。そして、上記樹脂上枠２２は金属上枠２１に、樹脂下枠３２は金属下枠３１に、樹脂縦枠４２は金属縦枠４１に、それぞれ取付けられている。金属上枠２１と金属下枠３１及び金属縦枠４１、４１には、それぞれ係止片が設けられ、樹脂上枠２２と樹脂下枠３２及び樹脂縦枠４２、４２はそれらに係合された上で、ネジによって固定される。
【００１４】
また、金属枠６は、屋外金属枠６ａと屋内金属枠６ｂに分かれており、その間には断熱部材１５が設けられる。断熱部材１５は、硬質ゴム等の断熱性能の高い材質からなるもので、屋外金属枠６ａの屋内側面に当接するように設けられる。また、屋内金属枠６ｂは、断熱部材１５の屋内側面に当接するように設けられる。そして、これらは連結ネジ１６、１６によって固定される。このように、枠体１の中間に断熱部材１５を有していることにより、サッシの断熱性を良好にすることができる。
【００１５】
一方、障子２は、枠体１の屋外側に配される外障子６０と屋内側に配される内障子６１とからなり、上下及び左右の框材を方形状に枠組みして、ガラス体６２を納めている。ガラス体６２はグレージングチャンネル６３を介して各框に保持されている。また、外障子６０の屋外側には網戸６６が取付けられている。各障子は、上記枠体１と同様に、金属框８とその屋内側露出部分を覆うように取付けられた樹脂框９とから構成されている。すなわち、上記樹脂上框２７は金属上框２６に、樹脂下框３７は金属下框３６に、樹脂縦框４７、４７は金属縦框４６、４６に、それぞれ取り付けられている。金属上框２６、金属下框３６、及び金属縦框４６、４６には、それぞれ係止片が設けられ、樹脂上框２７，樹脂下框３７及び樹脂縦框４７、４７はそれらに係合された上で、カシメによって固定される。
【００１６】
なお、上記金属枠６及び金属框８は通常アルミの押出し型材にて成型され、また樹脂枠７及び樹脂框９は塩化ビニルやアクリル樹脂等から成型される。このように樹脂枠７にて金属枠６の屋内側露出部分を覆うと共に、樹脂框９にて金属框８の屋内側露出部分を覆うことにより、金属による冷たい感じを隠し、また熱伝導率の低い樹脂によって断熱効果を向上させている。また、これらの樹脂材には、木材粉等を混入させて、外観上あたかも木材で形成されているかの観を呈することもできる。
【００１７】
また、金属下枠３１にはレール６５、６５が形成され、外障子６０及び内障子６１の下端部に設けられた戸車６４、６４がその上に載置されて、外障子６０及び内障子６１はいずれも横方向に走行自在とされる。
【００１８】
次に、本実施形態におけるサッシの取付構造について説明する。図１及び図２に示すように、本実施形態におけるサッシは、枠体１の屋外側に四周に渡って形成された屋外当接部５０と、枠体１の屋内側に取付けられた取付金具１０の屋内当接部１２によって建物の躯体３を挟持することで、建物開口部Ａに固定される取付構造を有している。
【００１９】
屋外当接部５０は、図１及び図２に示すように、上枠２０、下枠３０、縦枠４０、４０のそれぞれ屋外側に四周に渡って、障子２、２を保持する部分に対して外側に向かった略垂直方向に伸びて形成されている。また、屋外当接部５０は、その断面形状において中空構造に形成される。したがって、屋外当接部５０は、屋内外方向について厚みを持つことになり、建物の躯体３を挟持する際における剛性を確保することができ、変形を防止することができる。
【００２０】
また、屋外当接部５０の屋外側面は外壁４によって被覆され、これによって屋外側から枠体１の屋外側露出面が見えないようにされている。枠体１と外壁４との隙間には、その隙間における枠体１の屋外側面に当接するようにバックアップ材５２を設け、さらにその屋外側にはコーキング材５３が充填される。
【００２１】
さらに、屋外当接部５０の屋内側面には長手方向略全長に渡って水密材５１が設けられる。水密材５１は、屋外当接部５０の屋内側面に四周に渡って設けられる。水密材５１は、屋外当接部５０と屋内当接部１２によって建物の躯体３を挟持したときに、建物の躯体３に圧接されて、外部からの水の浸入を防ぐ。このように、コーキング材５３と水密材５１により、二重に防水を行うことができる。
【００２２】
一方、建物の躯体３の屋内側を挟持する屋内当接部１２は、枠体１に対して取付けられる取付金具１０に設けられている。取付金具１０は、ピース状の部材からなり、上枠２０、下枠３０、縦枠４０、４０のそれぞれ長手方向に数カ所ずつ設けられる。ただし、取付金具１０は長尺状の部材として、上枠２０、下枠３０及び縦枠４０、４０の略全長に渡るように設けてもよい。また、取付金具１０は、枠体１の屋内側面に当接するスライド部１１と、サッシの固定時に建物の躯体３の屋内側面に当接される屋内当接部１２、及びスライド部から階段状に延出する延出部１３からなっている。図３及び図４にはそれぞれ上枠２０及び縦枠４０における取付金具１０の周辺拡大図を示している。
【００２３】
取付金具１０のスライド部１１は、枠体１の屋内側面に当接するように平面状に形成される。また、サッシの中央から外側に向かう方向に細長く形成されるスライド孔１１ｃを有している。スライド部１１は、枠体１の屋内側面よりも左右または上下方向の長さを短く形成されており、スライド孔１１ｃを介して取付ネジ１４によって枠体１に固定されるため、枠体１の屋内側面に当接してサッシ中央方向または建物の躯体３側の方向に移動させることができる。取付金具１０をスライドさせる場合には、取付ネジ１４は仮止めの状態に弛められ、位置決めする場合には、取付ネジ１４を締めて枠体１に固定する。また、取付金具１０を建物の躯体３側にスライドさせた場合には、スライド部１１の建物の躯体３側端部に設けられた被係合部１１ｂと、枠体１に設けられた係合部１７を係合させて、取付金具１０のずれを防止する。
【００２４】
取付金具１０の枠体１外側方向には屋内当接部１２が形成され、その屋外側面は当接面１２ａとされている。図５は、縦枠４０を建物の躯体３に固定する際における取付金具１０を示している。この図に示すように取付金具１０を建物の躯体３側にスライドさせると、屋内当接部１２は建物の躯体３の屋内側面に当接し、枠体１に形成された屋外当接部５０と共に建物の躯体３を挟持する。
【００２５】
取付金具１０により枠体１を建物開口部Ａに取付けた状態では、取付金具１０は屋内側に露出している。そこで、その屋内側を被覆するために額縁７０が設けられる。また、サッシの取付後に設けられる内壁５によっても屋内側から見えないように被覆される。額縁７０は、上屋内材２３、下屋内材３３、縦屋内材４３、４３からなっており、枠体１に対しては額縁保持部７１によって固定される。額縁保持部７１は、額縁７０を保持する嵌合部７２と、取付金具１０に当接する当接部７４からなっている。また、枠体１側の端部には係合部７５を備え、枠体１に対して係合により保持される。
【００２６】
額縁７０は、額縁保持部７１の嵌合部７２に嵌合することにより保持されると共に、額縁保持部７１の屋内側に露出しない面から固定ネジ７３によって固定される。また、額縁保持部７１の屋内側に露出しない面には当接部７４が形成されており、建物の躯体３側にスライドされた取付金具１０の延出部１３の当接面１３ａに当接される。本実施形態において当接部７４は額縁保持部７１から突出した形状に形成されているが、取付金具１０に当接する部分を有していれば、必ずしも突出していなくてもよい。額縁７０を保持した額縁保持部７１は、屋外側端部の係合部７５を、枠体１の屋内側面における取付金具１０より見付方向内側に設けられる額縁嵌合部７６に嵌合され、固定される。
【００２７】
図６は、サッシを建物開口部Ａに取付ける際の組立図を示している。この図は、枠体１の縦枠４０の部分のみを示している。図６（ａ）は、サッシの建物開口部Ａに対する取付前の状態を表しており、図６（ｂ）は、サッシを所定の位置に取付けた状態を表している。また、図６（ｃ）は、取付金具１０の屋内当接部１２を建物の躯体３に当接させて、屋内当接部１２と屋外当接部５０によって挟持した状態を表している。
【００２８】
図６（ａ）のように、取付金具１０をあらかじめ固定された枠体１は、屋外側から建物開口部Ａに取付けられる。この際に、取付金具１０は、枠体１の外側に突出しないように枠体１の中央側にスライドされた状態で固定されている。
【００２９】
図６（ｂ）及び図６（ｃ）のように、枠体１を所定の位置に納めて屋外当接部５０を建物の躯体３に当接させたのち、取付金具１０の取付ネジ１４を弛めてスライド自在とし、建物の躯体３側にスライドさせて屋内当接部１２を建物の躯体３の屋内側面に当接させる。そして、その状態で取付ネジ１４を締めて取付金具１０を枠体１に固定する。このようにして建物の躯体３を屋内当接部１２と屋外当接部５０によって挟持し、サッシを固定する。
【００３０】
これまで、本発明に係る実施形態について説明したが、本発明の適用はこの実施形態に限られるものではなく、その思想の範囲内において様々に適用することができる。
例えば、本実施形態においては、障子２は引違い状の可動障子としている。しかし、障子２の態様は特に限定されるものではなく、片方ないし両方を嵌殺しとしてもよいし、辷り出し戸や内倒し戸など他の態様でもよい。
【００３１】
また、本実施形態においては、金属枠６の屋内側露出部分や金属框８の屋内側露出部分を樹脂枠７や樹脂框９にて覆っているが、このような複合サッシではなく、全て金属からなるサッシに本発明を適用することもできる。
【００３２】
【発明の効果】
以上のように、本発明に係るサッシ取付構造は、枠体の屋外側に躯体の屋外側面の四周に当接する屋外当接部を形成し、枠体の屋内側面にスライド自在に当接するスライド部と躯体の屋内側面に当接する屋内当接部を有する取付金具を備え、屋外当接部と屋内当接部により躯体を挟持してなることにより、サッシはビス止めや釘打ちを多数行うことなく建物開口部に固定することができ、また屋内当接部はスライド自在に設けられているから、取付をワンタッチで簡易に行うことができるという効果がある。
【００３３】
また、本発明によれば、枠体の取付金具より見付方向内側に額縁を嵌合固定する額縁保持部を有し、額縁保持部は取付金具に当接する当接部を有することにより、屋内当接部を躯体に当接させた際に額縁保持部の当接部を取付金具に当接させて、取付金具のずれを防ぐことができるという効果がある。
【００３４】
さらに、本発明によれば、枠体の屋外当接部は内部を中空構造に形成されていることにより、屋外当接部の剛性を高くすることができ、躯体に取付けた際における枠体の変形を防止することができる。
【図面の簡単な説明】
【図１】本発明の実施形態におけるサッシの縦断面図である。
【図２】本発明の実施形態におけるサッシの横断面図である。
【図３】本発明の実施形態における上枠に設けられる取付金具付近の拡大図である。
【図４】本発明の実施形態における縦枠に設けられる取付金具付近の拡大図である。
【図５】本発明の実施形態において、縦枠を建物の躯体に取付ける取付金具を屋内側から見た図である。
【図６】本発明の実施形態において、サッシのうち縦枠部分を建物開口部に取付ける際の組立図である。
【符号の説明】
１      枠体
２      障子
３      躯体
４      外壁
５      内壁
６      金属枠
６ａ    屋外金属枠
６ｂ    屋内金属枠
７      樹脂枠
８      金属框
９      樹脂框
１０      取付金具
１１      スライド部
１１ｃ    スライド孔
１２      屋内当接部
１３      延出部
１４      取付ネジ
１５      断熱部材
２０      上枠
３０      下枠
４０      縦枠
５０      屋外当接部
５１      水密材
７０      額縁
７１      額縁保持部
７２      嵌合部
７３      固定ネジ
７４      当接部
７５      係合部
７６      額縁嵌合部
Ａ      建物開口部
【図１】
2004150195.tif 000003
【図２】
2004150195.tif 000004
【図３】
2004150195.tif 000005
【図４】
2004150195.tif 000006
【図５】
2004150195.tif 000007
【図６】
2004150195.tif 000008